(57)【特許請求の範囲】
【請求項１】
集合住宅、病院等、不特定多数の住人、患者が同一建造物内で活動している建造物の汎用ネットワーク（ａ）と、前記汎用ネットワークに接続され前記集合住宅の玄関やナースステーションに設置された集中型親機（４）と、前記汎用ネットワークに接続され前記集合住宅内の各住戸や病院の各ベッドに設置された端末ハブ（１）と、前記汎用ネットワークに接続され前記集合住宅内の各住戸や病院の各ベッドに設置された端末インターホン（３）と、前記汎用ネットワークに接続された建造物外への広域ネットワーク（ｂ）に接続するためのルーター（２）とを備えたインターホンシステムであって、
前記端末ハブおよび前記ルーターには、前記汎用ネットワークへの通信を制御する主制御回路（１１、２１）と、前記汎用ネットワークへの通信を監視するネットワーク監視回路（１２、２２）とをそれぞれ備え、
前記端末ハブおよび前記ルーターは、前記集中型親機と前記端末インターホンが通話を開始し或いは前記端末インターホンと他の前記端末インターホンが通話を開始した時点で前記ルーターの前記ネットワーク監視回路と前記端末ハブの前記ネットワーク監視回路が通話開始を検知し、前記ルーターの前記主制御回路と前記端末ハブの前記主制御回路に対してウインドウサイズ制限信号を送出することにより、前記ルーターの前記主制御回路と前記端末ハブの前記主制御回路において一度に送出される伝送信号の量が減少するウインドウサイズの制限動作が作動し、データ送出間隔が同一である場合、前記通話を行なっていない全ての前記汎用ネットワークの通信量を削減することによって、前記通話に必要な通信信号の流量を確保し、前記集中型親機と前記端末インターホンとの通話音声の音質を確保するものであることを特徴とするインターホンシステム。
【請求項２】
前記端末ハブおよび前記ルーターは、前記ルーターの前記主制御回路と前記端末ハブの前記主制御回路が、伝送中のファイルネームを識別する等の方法により、動画を伝送していると判断した場合に動画伝送停止操作を行なうことにより、動画を伝送している全ての前記汎用ネットワークの通信量を削減することによって、前記通話に必要な通信信号の流量を確保し、前記通話音声の音質を確保するものであることを特徴とする請求項１記載のインターホンシステム。
【請求項３】
前記端末ハブおよび前記ルーターは、前記集中型親機と前記端末インターホンが通話を開始し或いは前記端末インターホンと他の端末の前記端末インターホンが通話を開始した時点で伝送中のデータ量を測定することにより、データ量が一定以上の値を超えている場合に限り、前記ルーターの前記主制御回路と前記端末ハブの前記主制御回路に対してウインドウサイズ制限信号を送出することにより、前記ルーターの前記主制御回路と前記端末ハブの前記主制御回路において一度に送出される伝送信号の量が減少するウインドウサイズの制限動作が作動し、データ送出間隔が同一である場合、前記通話を行なっていない全ての前記汎用ネットワークの通信量を削減することによって、前記通話に必要な通信信号の流量を確保し、前記通話音声の音質を確保するものであることを特徴とする請求項１記載のインターホンシステム。
【請求項４】
集合住宅、病院等、不特定多数の住人、患者が同一建造物内で活動している建造物の汎用ネットワーク（ａ）と、前記汎用ネットワークに接続され前記集合住宅の玄関やナースステーションに設置された集中型親機（４）と、前記汎用ネットワークに接続され前記集合住宅内の各住戸や病院の各ベッドに設置された端末ハブ（１）と、前記汎用ネットワークに接続され前記集合住宅内の各住戸や病院の各ベッドに設置された端末インターホン（３）と、前記汎用ネットワークに接続された建造物外への広域ネットワーク（ｂ）に接続するためのルーター（２）とを備えたインターホンシステムであって、
建造物内に前記汎用ネットワーク内の前記端末ハブおよび前記ルーターに対して通信方式の指示を行なうネットワーク監視専用端末（５）を備え、
前記ネットワーク監視専用端末には前記汎用ネットワークへの通信を制御する主制御回路（５１）と前記汎用ネットワークへの通信を監視するネットワーク監視回路（５２）とを備え、
前記ネットワーク監視専用端末は、前記集中型親機と前記端末インターホンが通話を開始し或いは前記端末インターホンと他の前記端末インターホンが通話を開始した時点で前記ネットワーク監視専用端末の前記ネットワーク監視回路が通話開始を検知し、前記ネットワーク監視専用端末の前記主制御回路が、前記ルーターの前記主制御回路と前記端末ハブの前記主制御回路に対してウインドウサイズ制限信号（Ｓ３）を送出することにより、前記主制御回路と前記端末ハブの前記主制御回路において一度に送出される伝送信号の量が減少するウインドウサイズの制限動作が作動し、データ送出間隔が同一である場合、前記通話を行なっていない全ての前記汎用ネットワークの通信量を削減することによって、前記通話に必要な通信信号の流量を確保し、通話音声の音質を確保するものであることを特徴とするインターホンシステム。
【請求項５】
集合住宅、病院等、不特定多数の住人、患者が同一建造物内で活動している建造物の汎用ネットワーク（ａ）と、前記汎用ネットワークに接続され前記集合住宅の玄関やナースステーションに設置された集中型親機（４）と、前記汎用ネットワークに接続され前記集合住宅内の各住戸や病院の各ベッドに設置された端末ハブ（１）と、前記汎用ネットワークに接続され前記集合住宅内の各住戸や病院の各ベッドに設置された端末インターホン（３）と、前記汎用ネットワークに接続された建造物外への広域ネットワーク（ｂ）に接続するためのルーター（２）とを備えたインターホンシステムであって、
前記集中型親機に前記汎用ネットワーク内の前記端末ハブおよび前記ルーターに対して通信方式の指示を行なう主制御回路（４６）を備え、
前記主制御回路は、前記集中型親機と前記端末インターホンが通話を開始した時点で前記集中型親機の前記主制御回路が、前記ルーターの前記主制御回路と前記端末ハブの前記主制御回路に対してウインドウサイズ制限信号（Ｓ３）を送出することにより、前記主制御回路と前記端末ハブの前記主制御回路で一度に送出される伝送信号の量が減少するウインドウサイズの制限動作が作動し、データ送出間隔が同一である場合、前記通話を行なっていない全ての前記汎用ネットワークの通信量を削減することによって、前記通話に必要な通信信号の流量を確保し、通話音声の音質を確保するものであることを特徴とするインターホンシステム。
【請求項６】
集合住宅、病院等、不特定多数の住人、患者が同一建造物内で活動している建造物の汎用ネットワーク（ａ）と、前記汎用ネットワークに接続され前記集合住宅の玄関やナースステーションに設置された集中型親機（４）と、前記汎用ネットワークに接続され前記集合住宅内の各住戸や病院の各ベッドに設置された端末ハブ（１）と、前記汎用ネットワークに接続され前記集合住宅内の各住戸や病院の各ベッドに設置された端末インターホン（３）と、前記汎用ネットワークに接続された建造物外への広域ネットワーク（ｂ）に接続するためのルーター（２）とを備えたインターホンシステムであって、
前記端末インターホンに前記汎用ネットワーク内の前記端末ハブおよび前記ルーターに対して通信方式の指示を行なう主制御回路（３６）を備え、
前記主制御回路は、前記集中型親機と前記端末インターホンが通話を開始し或いは前記端末インターホンと他の前記端末インターホンが通話を開始した時点で前記端末インターホンの前記主制御回路が、前記ルーターの前記主制御回路と前記端末ハブの前記主制御回路に対してウインドウサイズ制限信号（Ｓ３）を送出することにより、前記主制御回路と前記端末ハブの前記主制御回路で一度に送出される伝送信号の量が減少するウインドウサイズの制限動作が作動し、データ送出間隔が同一である場合、前記通話を行なっていない全ての前記汎用ネットワークの通信量を削減することによって、前記通話に必要な通信信号の流量を確保し、通話音声の音質を確保するものであることを特徴とするインターホンシステム。
【発明の詳細な説明】
【０００１】
【発明の属する利用分野】
本発明はインターホンシステムに係わり、特に集合住宅、病院等、不特定多数の住人、患者が同一建造物内で活動している建造物内の通話音声をネットワークを利用してデジタル信号によって伝送し、かつ同一ネットワークを汎用目的によって各居住者、または患者が利用するインターホンシステムに関する。
【０００２】
【従来の技術】
従来から、この種のインターホンシステムとして、図７に示す構成のインターホンシステムが提案されている。
【０００３】
同図は集中型親機を持つインターホンシステムであり、各居室または患者のベッドに１台ずつ備えられた端末インターホン１０３と、建造物の玄関に設けられた集中型親機１０４とによって構成されており、この２つは汎用ネットワークａによって接続されている。
【０００４】
また、この汎用ネットワークａは、各住戸またはベッドにインターネットの利用の目的等として設置された端末ハブ１０１、外部へのインターネット接続点としての建造物外へのルーター１０２にも接続されている。
【０００５】
端末インターホン１０３は、呼出応答／操作ボタン１３１と、マイク１３４と、スピーカー１３５と、マイク１３４からの音声を受取って音声のデジタル化処理を行ないスピーカー１３５へのデジタル信号を音声信号に変換する音声符号化／復号化回路１３３と、テンキー及び呼出ボタン１３１からのデータと音声符号化／復号化回路１３３からのデータを受取って汎用ネットワークａにデータを送信し、また汎用ネットワークａからのデータを受信して音声符号化／復号化回路１３３へデータを送るデータ送受信回路１３２とを備えている。
【０００６】
集中型親機１０４は、テンキー及び呼出ボタン１４１と、マイク１４４と、スピーカー１４５と、マイク１４４からの音声を受取って音声のデジタル化処理を行ない、スピーカー１４５へのデジタル信号を音声信号に変換する音声符号化／復号化回路１４３と、テンキー及び呼出ボタン１４１からのデータと音声符号化／復号化回路１４３からのデータを受取って汎用ネットワークａにデータを送信し、また汎用ネットワークａからのデータを受信して音声符号化／復号化回路１４３へデータを送るデータ送受信回路１４２とを備えている。
【０００７】
端末ハブ１０１は、伝送信号の中継を行なう主制御回路１１１を備えており、前記主制御回路１１１には接続線ｃが接続されており、各住戸又はベッドの汎用インターネット端末は接続線ｃに接続される。
【０００８】
建造物外へのルーター１０２は、伝送信号の中継を行なう主制御回路１２１を備えており、前記主制御回路１２１には広域ネットワークｂが接続されており、外部のインターネットは広域ネットワークｂに接続される。
【０００９】
このように構成されたインターホンシステムにおいて、集合住宅の場合、来訪者が玄関に入るためには、集中型親機１０４のテンキー及び呼出ボタン１４１を操作し、端末インターホン１０３を呼び出し、呼出された人が通話することになる。
【００１０】
具体的には、来訪者が玄関に入るためには、来訪先の入居者の居室番号を何らかの方法で確認し、集中型親機１０４のテンキー及び呼出ボタン１４１を操作し、端末を呼出す。このとき、テンキー及び呼出ボタン１４１からのキー操作信号を受け取ったデータ送受信回路１４２は、汎用ネットワークａを介して端末インターホン１０３のデータ送受信回路１３２に呼出データＳ１０１を送る。この時のデータ送出には、汎用のＴＣＰ／ＩＰプロトコルを使用し、デジタル信号を一定長毎の固まりに分割し、その固まりを複数まとめて送出することになる。この時、一度にまとめて送出することのできる固まりの数のことを、一般的にウインドウサイズと呼んでいる。呼出データＳ１０１を受信したデータ送受信回路１３２は、音声符号化／復号化回路１３３にデータを送り、音声符号化／復号化回路１３３は呼出のチャイム音を作成し、端末インターホン１０３のスピーカー１３５に呼出音声を送出する。端末インターホン１０３で呼出データを確認した端末操作者は、呼出応答／操作ボタン１３１を使用するか、或いは自動応答により通話操作を行ない、端末操作者は、端末インターホン１０３のマイク１３４から音声を入力することにより、集中型親機１０４のスピーカー１４５を通して、集中型親機にいる操作者に対して音声を伝送することができ、また集中型親機の操作者は、集中型親機１０４のマイク１４４から音声を入力することにより、端末インターホン１０３のスピーカー１３５を通して、端末操作者に対して音声を伝送することができる。このデータについても呼出データＳ１０１を使用する。通話が終了した時点で、端末操作者が端末インターホン１０３の呼出応答／操作ボタン１３１を使用して終話処理を行なうか、或いは集中型親機の操作者がテンキー及び呼出ボタン１４１を使用して終話処理を行なうことにより、呼出データＳ１０１を用いて通話終了信号を送出する。
【００１１】
また、病院の場合、看護婦等が患者を呼び出すためには、集中型親機１０４のテンキー及び呼出ボタン１４１を操作し、端末インターホン１０３を呼び出し、呼出された人が通話することになる。
【００１２】
具体的には、看護婦等が患者を呼び出すためには、呼出先の患者のベッド番号を何らかの方法で確認し、集中型親機１０４のテンキー及び呼出ボタン１４１を操作し、端末を呼び出す。これ以後の動作については、集合住宅と同等である。
【００１３】
この時、呼出データＳ１０１は、建造物内の汎用ネットワークａを使用して伝送しており、汎用ネットワークａは建造物内で共通に配線されていることから、端末ハブ１、及びルーター２でも呼出データＳ１０１を受信するが、呼出データＳ１０１が自端末宛のデータでないことを判断すると、呼出データＳ１０１に対して何もアクションを起こさない。
【００１４】
また、建造物内にいる人がインターネットを利用する場合は、建造物内の接続線ｃに接続した端末（図示せず）を操作し、端末ハブ１０１から汎用ネットワークａ、建造物外へのルーター１０２、広域ネットワークｂを通してデジタル信号Ｓ１０２を送受信し、ネットワーク通信を行なうことができる。この時のデータ送出にも、前述のＴＣＰ／ＩＰプロトコルを使用する。
【００１５】
【発明が解決しようとする課題】
しかしながら、従来のインターホンシステムでは、汎用ネットワークａは通話用以外の目的で使用されている場合、例えば住戸内またはベッドのインターネット端末が外部から、または外部へのデジタル信号Ｓ１０２を送受信している場合において、その通信量が回線容量に比してあまりにも大量である場合において、汎用ネットワークａの回線利用率が増大する。音声信号をアナログ信号として伝送する場合には、回線利用率の増大による悪影響は音質が劣化するだけであるが、上記の例のように音声信号をデジタル化する場合には、回線利用率が増大すると音声信号が遅延し、最悪の場合には音声信号が途絶することになり、利用者にとって会話が非常に困難になる。
【００１６】
この対策として、従来から、呼出データＳ１０１が発生した時点で、他の全てのデジタル信号Ｓ１０２を遮断する方法が提案されていたが、この方法では他の利用者の利便性を損ね、また再接続をしようとするデジタル信号Ｓ１０２が多数発生することにより、さらに汎用ネットワークａの通信量が増大する可能性があり、有用性に乏しかった。
【００１７】
本発明は上述の難点を解消するためになされたもので、通話時に通話以外の信号のウインドウサイズを制限することにより、通話以外の信号を完全に遮断することなく、音声信号を安定して送受信することができるインターホンシステムを提供することを目的とする。
【００１８】
また、本発明は上述の難点を解消するためになされたもので、通話時に通話以外の信号を圧縮することにより、通話以外の信号を完全に遮断することなく、音声信号を安定して送受信することができるインターホンシステムを提供することを目的とする。
【００１９】
また、本発明は上述の難点を解消するためになされたもので、通話時に動画信号のみを遮断することにより、動画を除く通話以外の信号を完全に遮断することなく、音声信号を安定して送受信することができるインターホンシステムを提供することを目的とする。
【００２０】
【課題を解決するための手段】
このような目的を達成するため、本発明のインターホンシステムは、集合住宅、病院等、不特定多数の住人、患者が同一建造物内で活動している建造物の汎用ネットワークと、汎用ネットワークに接続され集合住宅の玄関やナースステーションに設置された集中型親機と、汎用ネットワークに接続され集合住宅内の各住戸や病院の各ベッドに設置された端末ハブと、汎用ネットワークに接続され集合住宅内の各住戸や病院の各ベッドに設置された端末インターホンと、汎用ネットワークに接続された建造物外への広域ネットワークに接続するためのルーターを備え、端末ハブおよびルーターには、汎用ネットワークへの通信を制御する主制御回路と、汎用ネットワークへの通信を監視するネットワーク監視回路とをそれぞれ備え、端末ハブおよびルーターは、集中型親機と端末インターホンが通話を開始し或いは端末インターホンと他の端末インターホンが通話を開始した時点でルーターのネットワーク監視回路と端末ハブのネットワーク監視回路が通話開始を検知し、ルーターの主制御回路と端末ハブの主制御回路に対してウインドウサイズ制限信号を送出することにより、ルーターの主制御回路と端末ハブの主制御回路において一度に送出される伝送信号の量が減少するウインドウサイズの制限動作が作動し、データ送出間隔が同一である場合、通話を行なっていない全ての汎用ネットワークの通信量を削減することによって、通話に必要な通信信号の流量を確保し、集中型親機と端末インターホンとの通話音声の音質を確保するものである。
【００２１】
また、端末ハブおよびルーターは、ルーターの主制御回路と端末ハブの主制御回路が、伝送中のファイルネームを識別する等の方法により、動画を伝送していると判断した場合に動画伝送停止操作を行なうことにより、動画を伝送している全ての汎用ネットワークの通信量を削減することによって、通話に必要な通信信号の流量を確保し、通話音声の音質を確保するものである。
【００２２】
また、端末ハブおよびルーターは、集中型親機と端末インターホンが通話を開始し或いは端末インターホンと他の端末の端末インターホンが通話を開始した時点で伝送中のデータ量を測定することにより、データ量が一定以上の値を超えている場合に限り、ルーターの主制御回路と端末ハブの主制御回路に対してウインドウサイズ制限信号を送出することにより、ルーターの主制御回路と端末ハブの主制御回路において一度に送出される伝送信号の量が減少するウインドウサイズの制限動作が作動し、データ送出間隔が同一である場合、通話を行なっていない全ての汎用ネットワークの通信量を削減することによって、通話に必要な通信信号の流量を確保し、通話音声の音質を確保するものである。
【００２３】
また、本発明のインターホンシステムは、集合住宅、病院等、不特定多数の住人、患者が同一建造物内で活動している建造物の汎用ネットワークと、汎用ネットワークに接続され集合住宅の玄関やナースステーションに設置された集中型親機と、汎用ネットワークに接続され集合住宅内の各住戸や病院の各ベッドに設置された端末ハブと、汎用ネットワークに接続され集合住宅内の各住戸や病院の各ベッドに設置された端末インターホンと、汎用ネットワークに接続された建造物外への広域ネットワークに接続するためのルーターとを備え、建造物内に汎用ネットワーク内の端末ハブおよびルーターに対して通信方式の指示を行なうネットワーク監視専用端末を備え、ネットワーク監視専用端末には汎用ネットワークへの通信を制御する主制御回路と汎用ネットワークへの通信を監視するネットワーク監視回路とを備え、ネットワーク監視専用端末は、集中型親機と端末インターホンが通話を開始し或いは端末インターホンと他の端末インターホンが通話を開始した時点でネットワーク監視専用端末のネットワーク監視回路が通話開始を検知し、ネットワーク監視専用端末の主制御回路が、ルーターの主制御回路と端末ハブの主制御回路に対してウインドウサイズ制限信号を送出することにより、主制御回路と端末ハブの主制御回路において一度に送出される伝送信号の量が減少するウインドウサイズの制限動作が作動し、データ送出間隔が同一である場合、通話を行なっていない全ての汎用ネットワークの通信量を削減することによって、通話に必要な通信信号の流量を確保し、通話音声の音質を確保するものである。
【００２４】
また、本発明のインターホンシステムは、集合住宅、病院等、不特定多数の住人、患者が同一建造物内で活動している建造物の汎用ネットワークと、汎用ネットワークに接続され集合住宅の玄関やナースステーションに設置された集中型親機と、汎用ネットワークに接続され集合住宅内の各住戸や病院の各ベッドに設置された端末ハブと、汎用ネットワークに接続され集合住宅内の各住戸や病院の各ベッドに設置された端末インターホンと、汎用ネットワークに接続された建造物外への広域ネットワークに接続するためのルーターとを備え、集中型親機に汎用ネットワーク内の端末ハブおよびルーターに対して通信方式の指示を行なう主制御回路を備え、主制御回路は、集中型親機と端末インターホンが通話を開始した時点で集中型親機の主制御回路が、ルーターの主制御回路と端末ハブの主制御回路に対してウインドウサイズ制限信号を送出することにより、主制御回路と端末ハブの主制御回路で一度に送出される伝送信号の量が減少するウインドウサイズの制限動作が作動し、データ送出間隔が同一である場合、通話を行なっていない全ての汎用ネットワークの通信量を削減することによって、通話に必要な通信信号の流量を確保し、通話音声の音質を確保するものである。
【００２５】
また、本発明のインターホンシステムは、集合住宅、病院等、不特定多数の住人、患者が同一建造物内で活動している建造物の汎用ネットワークと、汎用ネットワークに接続され集合住宅の玄関やナースステーションに設置された集中型親機と、汎用ネットワークに接続され集合住宅内の各住戸や病院の各ベッドに設置された端末ハブと、汎用ネットワークに接続され集合住宅内の各住戸や病院の各ベッドに設置された端末インターホンと、汎用ネットワークに接続された建造物外への広域ネットワークに接続するためのルーターとを備え、端末インターホンに汎用ネットワーク内の端末ハブおよびルーターに対して通信方式の指示を行なう主制御回路を備え、主制御回路は、集中型親機と端末インターホンが通話を開始し或いは端末インターホンと他の端末インターホンが通話を開始した時点で端末インターホンの主制御回路が、ルーターの主制御回路と端末ハブの主制御回路に対してウインドウサイズ制限信号を送出することにより、主制御回路と端末ハブの主制御回路で一度に送出される伝送信号の量が減少するウインドウサイズの制限動作が作動し、データ送出間隔が同一である場合、通話を行なっていない全ての汎用ネットワークの通信量を削減することによって、通話に必要な通信信号の流量を確保し、通話音声の音質を確保するものである。
【００２６】
このように構成されたインターホンシステムにおいて、建造物内で単一のネットワークをインターホンの通話と他の用途に兼用使用している場合に、通話以外の用途に使用されている全ての汎用ネットワークの通信量を削減することによって、通話に必要な通信信号の流量を確保し、音声が遅延、途絶することなく、安定した通話音声の音質を保証することができる。
【００２７】
【発明の実施の形態】
以下、本発明のインターホンシステムを適用した好ましい実施の形態例について図面を参照して説明する。
【００２８】
図１は共同玄関を持つ集合住宅或いはナースステーションを持つ病院等、不特定多数の住人、患者が同一建造物内で活動している建造物内に設置されるインターホンシステムの構成を示すブロック図であり、各住戸やベッドに設けられた端末インターホン３と、集合住宅の玄関やナースステーションに設けられた集中型親機４とによってインターホンの通話システムが構成されており、この２つは集合住宅、病院等、不特定多数の住人、患者が同一建造物内で活動している建造物の汎用ネットワークａによって接続されている。また、この汎用ネットワークａには、各端末にインターネットの利用の目的等として設置された端末ハブ１、外部へのインターネット接続点としての建造物外へのルーター２にも接続されている。
【００２９】
端末ハブ１は、ネットワーク全体の通信状況を監視するネットワーク監視回路１２と、ネットワーク監視回路１２からの信号を受けてウインドウサイズの最大値の制限を行ない、かつ伝送信号の中継を行なう主制御回路１１とを備えている。
【００３０】
ルーター２は、ネットワーク全体の通信状況を監視するネットワーク監視回路２２と、ネットワーク監視回路２２からの信号を受けてウインドウサイズの最大値の制限を行ない、かつ、伝送信号の中継を行なう主制御回路２１とを備えている。
【００３１】
建造物用端末インターホン３は、呼出応答／操作ボタン３１と、マイク３４と、スピーカー３５と、 マイク３４からの音声信号をデジタル化し、また、汎用ネットワークａからのデジタル信号を音声信号に変換してスピーカー３５に送出する音声符号化／復号化回路３３と、呼出応答／操作ボタン３１と音声符号化／復号化回路３３からのデータを汎用ネットワークａに送信し、また汎用ネットワークａからの信号を受信するデータ送受信回路３２とを備えている。
【００３２】
集中型親機４は、テンキー及び呼出ボタン４１と、マイク４４と、スピーカー４５と、マイク４４からの音声信号をデジタル化し、また汎用ネットワークａからのデジタル信号を音声信号に変換してスピーカー４５に送出する音声符号化／復号化回路４３と、テンキー及び呼出ボタン４１と音声符号化／復号化回路４３からのデータを汎用ネットワークａに送信し、また、汎用ネットワークａからの信号を受信するデータ送受信回路４２とを備えている。
【００３３】
このように構成されたインターホンシステムにおいて、以下、この動作について説明する。
【００３４】
来訪者が玄関に入るためには、来訪先の入居者の居室番号を何らかの方法で確認し、集中型親機４のテンキー及び呼出ボタン４１を操作し、居室を呼び出す。このとき、テンキー及び呼出ボタン４１からのキー操作信号を受け取ったデータ送受信回路４２は、汎用ネットワークａを介して端末インターホン３のデータ送受信回路３２に呼出データＳ１を送る。この時のデータ送出には、従来技術と同様に、汎用のＴＣＰ／ＩＰプロトコルを使用し、デジタル信号を一定長毎の固まりに分割し、その固まりを複数まとめて送出する。呼出データＳ１を受信したデータ送受信回路３２は、音声符号化／復号化回路３３にデータを送り、音声符号化／復号化回路３３は呼出のチャイム音を作成し、端末インターホン３のスピーカー３５に呼出音声を送出する。端末インターホン３で呼出データを確認し入居者は、呼出応答／操作ボタン３１を使用して通話操作を行ない、入居者は、端末インターホン３のマイク３４から音声を入力することにより、集中型親機４のスピーカー４５を通して、集合玄関にいる来訪者に対して音声を伝送することができ、また来訪者は、集中型親機４のマイク４４から音声を入力することにより、端末インターホン３のスピーカー３５を通して、入居者に対して音声を伝送することができる。このデータについても呼出データＳ１を使用する。通話が終了した時点で、入居者は端末インターホン３の呼出応答／操作ボタン３１を使用して終話処理を行ない、呼出データＳ１を用いて通話終了信号を送出する。
【００３５】
また、病院の場合、看護婦等が患者を呼び出すためには、集中型親機４のテンキー及び呼出ボタン４１を操作し、端末インターホン３を呼び出し、呼出された人が通話することになる。
【００３６】
具体的には、看護婦等が患者を呼び出すためには、呼出先の患者のベッド番号を何らかの方法で確認し、集中型親機４のテンキー及び呼出ボタン４１を操作し、端末を呼び出す。これ以後の動作については、集合住宅と同等である。
【００３７】
この時、呼出データＳ１は、建造物内の汎用ネットワークａを使用して伝送しており、汎用ネットワークａは建造物内で共通に配線されていることから、端末ハブ１、及びルーター２でも呼出データＳ１を受信する。
【００３８】
端末ハブ１のネットワーク監視回路１２は、他の機器（この場合、自端末の端末インターホン３のみではなく、共用部の全ての機器が対象である）に対する呼出データＳ１を受信すると、主制御回路１１に対してウインドウサイズを制限するように信号を送る。
【００３９】
もし、この時、端末ハブ１がデジタル信号Ｓ２を送受していた場合、ネットワーク監視回路１２からのウインドウサイズ制限信号により、一度に送出することのできる伝送信号の量が減少するが、接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００４０】
また、ルーター２がデジタル信号Ｓ２を送受していた場合も、同様にネットワーク監視回路２２からのウインドウサイズ制限信号により、一度に送出することのできる伝送信号の量が減少し、音声信号の途絶を防ぐことができる。
【００４１】
具体的には、端末操作者がインターネットを利用する場合は、建造物内の接続線ｃに接続した端末（図示せず）を操作し、端末ハブ１から汎用ネットワークａ、建造物外へのルーター２、広域ネットワークｂを通してデジタル信号Ｓ２を送受信し、ネットワーク通信を行なう場合を想定する。ヘッダー及びフッターが計５００バイト、１パケットで送出するデータを１０００バイト、通常時のウインドウサイズを４とした場合、通常時は一度に４０００バイトを送出することができる。この時に送出する総データ量は、ヘッダーとフッターを含めて４５００バイトである。ウインドウサイズ制限時にウインドウサイズが１となるように設定した場合、制限時は一度に１０００バイトしか送出することができないため、送出する総データ量は１５００バイトである。データ送出間隔が同一である場合、制限時に端末ハブ１が使用する端末が回線を利用する時間は、通常時に比べて３分の１となり、回線の利用率が減少する。
【００４２】
端末ハブ１のネットワーク監視回路１２は、呼出データＳ１によって通話が終了したことを検知すると、主制御回路１１に対してウインドウサイズの制限を解除する信号を送り、通話開始以前のウインドウサイズを復活させる。ルーター２のネットワーク監視回路２２も、同様に呼出データＳ１によって通話が終了したことを検知すると、主制御回路２１に対してウインドウサイズの制限を解除する信号を送り、通話開始以前のウインドウサイズを復活させる。
【００４３】
また、図２は他のインターホンシステムの構成を示すブロック図であり、ルーター２には図１の回路に加えて音声圧縮回路２３を備え、端末ハブ１には図１の回路に加えて音声圧縮回路１３を備えている。その他の構成は図１と全く同一である。
【００４４】
このように構成されたインターホンシステムにおいて、以下、この動作について説明する。
【００４５】
集中型親機の操作者が集中型親機を操作した時のデータの流れは、図１と全く同一である。
【００４６】
このため、呼出データＳ１は、端末ハブ１、及びルーター２でも受信する。
【００４７】
端末ハブ１のネットワーク監視回路１２は、他の機器（この場合、自端末の端末インターホン３のみではなく、共用部の全ての機器が対象である）に対する呼出データＳ１を受信すると、主制御回路１１を通して、音声圧縮回路１３に対して音声信号を圧縮するように信号を送る。
【００４８】
もし、この時、端末ハブ１がデジタル信号Ｓ２を送信していて、かつ、その信号が音声データであった場合、音声圧縮回路１３は送信しようとしているデジタル信号Ｓ２を圧縮し、デジタル信号Ｓ２’（図示せず）として、データ量を少なくした状態で送信する。この時、音声を圧縮することによって音質は低下するが、実用には差し支えない。これにより、一度に送出される伝送信号の量が減少するが、接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００４９】
また、ルーター２がデジタル信号Ｓ２として音声データを送信していた場合も、同様にネットワーク監視回路２２からの音声圧縮信号により、一度に送出される伝送信号の量が減少し、呼出データＳ１の音声信号の途絶を防ぐことができる。
【００５０】
端末ハブ１のネットワーク監視回路１２は、呼出データＳ１によって通話が終了したことを検知すると、主制御回路１１を経由して、音声圧縮回路１３に対して音声の圧縮を解除する信号を送り、通話開始以前の音声品質を復活させる。ルーター２のネットワーク監視回路２２も、同様に呼出データＳ１によって通話が終了したことを検知すると、主制御回路２１を経由して、音声圧縮回路２３に対して音声の圧縮を解除する信号を送り、通話開始以前の音声品質を復活させる。
【００５１】
また、図１のインターホンシステムの同一構成において、端末ハブ１の主制御回路１１とルーター２の主制御回路２１の動作を一部変えることにより、異なる方法で呼出データＳ１の品質を確保することもできる。
【００５２】
以下、この動作について説明する。
【００５３】
集中型親機の操作者が集中型親機を操作した時のデータの流れは、図１と全く同一である。
【００５４】
このため、呼出データＳ１は、端末ハブ１及びルーター２でも受信する。
【００５５】
端末ハブ１のネットワーク監視回路１２は、他の機器（この場合、自端末の端末インターホン３のみではなく、共用部の全ての機器が対象である）に対する呼出データＳ１を受信すると、主制御回路１１に対して動画信号の伝送を停止するように信号を送る。
【００５６】
もし、この時、端末ハブ１がデジタル信号Ｓ２を送受していて、かつその信号が動画データであった場合、主制御回路１１は送受しようとしているデジタル信号Ｓ２の動画部分の伝送を停止する。この時、動画の伝送を停止することによって、汎用ネットワークａを介して動画を取得している人は、一時的にデータの送受信が不可能になってしまうが、動画データは文字データ、音声データに比べて非常に多くの通信データを必要とするため、動画の伝送停止により、汎用ネットワークａの通信負荷を劇的に軽くすることができ、呼出データＳ１の伝送遅延がなくなり、音声信号の途絶を防ぐことができる。
【００５７】
また、ルーター２がデジタル信号Ｓ２として動画データを送信していた場合も、同様にネットワーク監視回路２２からの動画停止信号により、動画信号の伝送を停止し、呼出データＳ１の音声信号の途絶を防ぐことができる。
【００５８】
端末ハブ１のネットワーク監視回路１２は、呼出データＳ１によって通話が終了したことを検知すると、主制御回路１１に対して動画の伝送を再開する信号を送り、通話開始以前の動画伝送を復活させる。ルーター２のネットワーク監視回路２２も、同様に呼出データＳ１によって通話が終了したことを検知すると、主制御回路２１に対して動画の伝送を再開する信号を送り、通話開始以前の動画伝送を復活させる。
【００５９】
また、図３は他のインターホンシステムの構成を示すブロック図であり、ルーター２には図１の回路に加えて画像圧縮回路２４を備え、端末ハブ１には図１の回路に加えて画像圧縮回路１４を備えている。その他の構成は図１と全く同一である。
【００６０】
このように構成されたインターホンシステムにおいて、以下、この動作について説明する。
【００６１】
集中型親機の操作者が集中型親機を操作した時のデータの流れは、図１と全く同一である。
【００６２】
このため、呼出データＳ１は、端末ハブ１及びルーター２でも受信する。
【００６３】
端末ハブ１のネットワーク監視回路１２は、他の機器（この場合、自端末の端末インターホン３のみではなく、共用部の全ての機器が対象である）に対する呼出データＳ１を受信すると、主制御回路１１を通して、画像圧縮回路１４に対して画像信号を圧縮するように信号を送る。
【００６４】
もし、この時、端末ハブ１がデジタル信号Ｓ２を送信していて、かつその信号が画像データであった場合、画像圧縮回路１４は送信しようとしているデジタル信号Ｓ２を圧縮し、デジタル信号Ｓ２’（図示せず）として、データ量を少なくした状態で送信する。この時、画像を圧縮することによって画質は低下するが、特に動画に於いては画像データの圧縮は通信回線の混雑緩和に劇的な効果をもたらす。これにより、一度に送出される伝送信号の量が減少するが、接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００６５】
また、ルーター２がデジタル信号Ｓ２として画像データを送信していた場合も、同様にネットワーク監視回路２２からの画像圧縮信号により、一度に送出される伝送信号の量が減少し、呼出データＳ１の音声信号の途絶を防ぐことができる。
【００６６】
端末ハブ１のネットワーク監視回路１２は、呼出データＳ１によって通話が終了したことを検知すると、主制御回路１１を経由して、画像圧縮回路１４に対して画像の圧縮を解除する信号を送り、通話開始以前の音声品質を復活させる。ルーター２のネットワーク監視回路２２も、同様に呼出データＳ１によって通話が終了したことを検知すると、主制御回路２１を経由して、画像圧縮回路２４に対して画像の圧縮を解除する信号を送り、通話開始以前の音声品質を復活させる。
【００６７】
また、図１のインターホンシステムの同一構成において、端末ハブ１の主制御回路１１とルーター２の主制御回路２１の動作を一部追加することにより、呼出データＳ１の品質を確保する必要がある時だけ本考案の動作を行なうこともできる。
【００６８】
以下、この動作について説明する。
【００６９】
集中型親機の操作者が集中型親機を操作した時のデータの流れは、図１と全く同一である。
【００７０】
このため、呼出データＳ１は、端末ハブ１、及びルーター２でも受信する。
【００７１】
端末ハブ１のネットワーク監視回路１２は、他の機器（この場合、自端末の端末インターホン３のみではなく、共用部の全ての機器が対象である）に対する呼出データＳ１を受信すると、現在流れているデータの回線利用率を測定する。回線利用率が一定の閾値を超えている場合に限り、ネットワーク監視回路１２は主制御回路１１に対してウインドウサイズを制限するように信号を送る。
【００７２】
主制御回路１１はネットワーク監視回路１２からのウインドウサイズ制限信号により、一度に送出することのできる伝送信号の量を減少させる。接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができ、かつ回線利用率が低い場合には、他のデータの伝送遅延も合わせて防ぐことができる。
【００７３】
また、ルーター２がデジタル信号Ｓ２を送受していた場合も、同様に回線利用率が一定の閾値を超えている場合に限り、ネットワーク監視回路２２からのウインドウサイズ制限信号により、一度に送出することのできる伝送信号の量を減少させ、音声信号の途絶を防ぐことができる。
【００７４】
ウインドウサイズの制限の解除方法については、図１と全く同じである。
【００７５】
また、図４は他のインターホンシステムの構成を示すブロック図であり、建造物内の任意の位置に１つ設置され汎用ネットワークａ内の端末ハブ１およびルーター２に対して通信方式の指示を行なうネットワーク監視専用端末５を備えている。建造物内の任意の位置に１つ設置されたネットワーク監視端末５には主制御回路５１とネットワーク監視回路５２とを備えている。ルーター２にはネットワーク監視回路２２はなく、端末ハブ１にはネットワーク監視回路１２はない。その他の構成は図１と全く同一である。
【００７６】
このように構成されたインターホンシステムにおいて、以下、この動作について説明する。
【００７７】
集中型親機の操作者が集中型親機を操作した時のネットワーク監視端末５以外の機器へのデータの流れは、図１と全く同一である。
【００７８】
呼出データＳ１は、端末ハブ１、及びルーター２の他、ネットワーク監視端末５でも受信する。
【００７９】
ネットワーク監視端末５のネットワーク監視回路５２は、共用部のいずれかの機器に対する呼出データＳ１を受信すると、主制御回路５１を通して、建造物内の全ての端末に対してウインドウサイズを圧縮するためのウインドウサイズ制限信号Ｓ３を送出する。
【００８０】
端末ハブ１がウインドウサイズ制限信号Ｓ３を受信した時点で、デジタル信号Ｓ２を送受していた場合、主制御回路１１は一度に送出することのできる伝送信号の量を減少させる。接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００８１】
また、ルーター２がウインドウサイズ制限信号Ｓ３を受信した時点で、デジタル信号Ｓ２を送受していた場合も、同様に一度に送出することのできる伝送信号の量を減少させ、音声信号の途絶を防ぐことができる。
【００８２】
ネットワーク監視端末５のネットワーク監視回路５２は、呼出データＳ１によって通話が終了したことを検知すると、主制御回路５１を経由して、建造物内の全端末に対してウインドウサイズ制限信号Ｓ３を解除する信号を送り、通話開始以前の音声品質を復活させる。端末ハブ１の主制御回路１１は、ウインドウサイズ制限信号Ｓ３の解除信号を受信すると、ウインドウサイズの制限を解除する。ルーター２の主制御回路２１も、同様にウインドウサイズ制限信号Ｓ３の解除信号を受信すると、ウインドウサイズの制限を解除し、通話開始以前の音声品質を復活させる。
【００８３】
また、図５は他のインターホンシステムの構成を示すブロック図であり、集中型親機４には従来の回路のほかに汎用ネットワークａ内の端末ハブ１およびルーター２に対して通信方式の指示を行なう主制御回路４６を備えている。また、端末ハブ１にはネットワーク監視回路１２はなく、ルーター２にはネットワーク監視回路１２はない。その他の構成は図１と全く同一である。
【００８４】
このように構成されたインターホンシステムにおいて、以下、この動作について説明する。
【００８５】
集中型親機の操作者が集中型親機を操作した時のデータの流れは、図１と全く同一である。集中型親機４のデータ送受信回路４２が端末インターホン３に対して呼出データＳ１を送出する際、同時に主制御回路４６からデータ送受信回路４２を通じて建造物内の全ての端末に対してウインドウサイズ制限信号Ｓ３を送出する。
【００８６】
端末ハブ１がウインドウサイズ制限信号Ｓ３を受信した時点で、デジタル信号Ｓ２を送受していた場合、主制御回路１１は一度に送出することのできる伝送信号の量を減少させる。接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００８７】
また、ルーター２がウインドウサイズ制限信号Ｓ３を受信した時点で、デジタル信号Ｓ２を送受していた場合も、同様に一度に送出することのできる伝送信号の量を減少させ、音声信号の途絶を防ぐことができる。
【００８８】
集中型親機４の主制御回路４６は、データ送受信回路４２からの信号によって通話が終了したことを検知すると、建造物内の全端末に対してウインドウサイズ制限信号Ｓ３を解除する信号を送り、通話開始以前の音声品質を復活させる。端末ハブ１の主制御回路１１は、ウインドウサイズ制限信号Ｓ３の解除信号を受信すると、ウインドウサイズの制限を解除する。ルーター２の主制御回路２１も、同様にウインドウサイズ制限信号Ｓ３の解除信号を受信すると、ウインドウサイズの制限を解除し、通話開始以前の音声品質を復活させる。
【００８９】
また、図６は他のインターホンシステムの構成を示すブロック図であり、端末インターホン３には従来の回路のほかに汎用ネットワークａ内の端末ハブ１およびルーター２に対して通信方式の指示を行なう主制御回路３６を備えている。また、端末ハブ１にはネットワーク監視回路１２はなく、ルーター２にはネットワーク監視回路１２はない。その他の構成は図１と全く同一である。
【００９０】
このように構成されたインターホンシステムにおいて、以下、この動作について説明する。
【００９１】
集中型親機の操作者が集中型親機を操作した時のデータの流れは、図１と全く同一である。
【００９２】
端末インターホン３の主制御回路３６は、データ送受信回路３２を通して呼出データＳ１を受信し、そのデータが自端末宛であることを認識すると、建造物内の全ての端末に対してウインドウサイズ制限信号Ｓ３を送出する。
【００９３】
端末ハブ１がウインドウサイズ制限信号Ｓ３を受信した時点で、デジタル信号Ｓ２を送受していた場合、主制御回路１１は一度に送出することのできる伝送信号の量を減少させる。接続自体は途切れることはないため、再接続による通信量の増大、接続の切断による利便性の減少をすることなく、汎用ネットワークａの通信負荷を軽くすることができ、呼出データＳ１の伝送遅延がなくなり、音声信号の途絶を防ぐことができる。
【００９４】
また、ルーター２がウインドウサイズ制限信号Ｓ３を受信した時点で、デジタル信号Ｓ２を送受していた場合も、同様に一度に送出することのできる伝送信号の量を減少させ、音声信号の途絶を防ぐことができる。
【００９５】
端末インターホン３の主制御回路３６は、データ送受信回路３２からの信号によって通話が終了したことを検知すると、建造物内の全端末に対してウインドウサイズ制限信号Ｓ３を解除する信号を送り、通話開始以前の音声品質を復活させる。端末ハブ１の主制御回路１１は、ウインドウサイズ制限信号Ｓ３の解除信号を受信すると、ウインドウサイズの制限を解除する。ルーター２の主制御回路２１も、同様にウインドウサイズ制限信号Ｓ３の解除信号を受信すると、ウインドウサイズの制限を解除し、通話開始以前の音声品質を復活させる。
【００９６】
【発明の効果】
以上の説明から明らかなように、本発明のインターホンシステムによれば、建造物内で単一のネットワークをインターホンの通話と他の用途に兼用使用している場合に、通話以外の用途に使用されている全ての汎用ネットワークの通信量を削減することによって、通話に必要な通信信号の流量を確保し、音声が遅延、途絶することなく、安定した通話音声の音質を保証することができる。
【図面の簡単な説明】
【図１】  本発明によるインターホンシステムの一実施例の構成を示すブロック図。
【図２】  本発明によるインターホンシステムの一実施例の構成を示すブロック図。
【図３】  本発明によるインターホンシステムの一実施例の構成を示すブロック図。
【図４】  本発明によるインターホンシステムの一実施例の構成を示すブロック図。
【図５】  本発明によるインターホンシステムの一実施例の構成を示すブロック図。
【図６】  本発明によるインターホンシステムの一実施例の構成を示すブロック図。
【図７】  従来のインターホンシステムの構成を示すブロック図。
【符号の説明】
１・・・・・端末ハブ
２・・・・・ルーター
３・・・・・端末インターホン
４・・・・・集中型親機
５・・・・・ネットワーク監視端末
１１・・・・・主制御回路
１２・・・・・ネットワーク監視回路
１３・・・・・音声圧縮回路
１４・・・・・画像圧縮回路
２１・・・・・主制御回路
２２・・・・・ネットワーク監視回路
２３・・・・・音声圧縮回路
２４・・・・・画像圧縮回路
３１・・・・・呼出応答／操作ボタン
３２・・・・・データ送受信回路
３３・・・・・音声符号化／復号化回路
３４・・・・・マイク
３５・・・・・スピーカー
３６・・・・・主制御回路
４１・・・・・テンキー及び呼出ボタン
４２・・・・・データ送受信回路
４３・・・・・音声符号化／復号化回路
４４・・・・・マイク
４５・・・・・スピーカー
４６・・・・・主制御回路
５１・・・・・主制御回路
５２・・・・・ネットワーク監視回路
Ｓ１・・・・・呼出データ
Ｓ２・・・・・デジタル信号
Ｓ３・・・・・ウインドウサイズ制限信号
【図１】
0004624584.tif 000002
【図２】
0004624584.tif 000003
【図３】
0004624584.tif 000004
【図４】
0004624584.tif 000005
【図５】
0004624584.tif 000006
【図６】
0004624584.tif 000007
【図７】
0004624584.tif 000008